(57)【要約】【課題】エコラン制御中の運転者のストレスまたは故障したとの誤認識を解消させること。【解決手段】制御装置１は、アクセル開度計算部１０が調整した結果として実現されている現在のアクセル開度と車両の現在のアクセルペダルの踏み込み量から推定されるアクセル開度とを双方共に表示部１５に表示させる表示制御部１４を有する。この制御装置１は車両に搭載されるのが好ましい。【選択図】図１
2013019275.tif 000002
【特許請求の範囲】
【請求項１】
車両の車速に対応して予め設定されている目標加速度を、実際の加速度が超えるときには、前記目標加速度に実際の加速度が近付くようにアクセル開度の調整を行う制御手段を有する車両の制御装置において、
前記制御手段が調整した結果として実現されている現在のアクセル開度と前記車両の現在のアクセルペダルの踏み込み量から推定されるアクセル開度とを双方共に表示する表示手段を有する、
ことを特徴とする車両の制御装置。
【請求項２】
請求項１記載の車両の制御装置を有することを特徴とする車両。
【請求項３】
車両の車速に対応して予め設定されている目標加速度を、実際の加速度が超えるときには、前記目標加速度に実際の加速度が近付くようにアクセル開度の調整を行う制御ステップを有する車両の制御方法において、
前記制御ステップの処理により調整された結果として実現されている現在のアクセル開度と前記車両の現在のアクセルペダルの踏み込み量から推定されるアクセル開度とを双方共に表示する表示ステップを有する、
ことを特徴とする車両の制御方法。
【請求項４】
コンピュータに、
車両の車速に対応して予め設定されている目標加速度を、実際の加速度が超えるときには、前記目標加速度に実際の加速度が近付くようにアクセル開度の調整を行う制御手段を有する車両の制御装置の機能を実現させるプログラムにおいて、
前記制御手段が調整した結果として実現されている現在のアクセル開度と前記車両の現在のアクセルペダルの踏み込み量から推定されるアクセル開度とを双方共に表示する表示手段の機能を実現させる、
ことを特徴とするプログラム。
【発明の詳細な説明】
【技術分野】
【０００１】
本発明は、車両の制御装置、車両、車両の制御方法、およびプログラムに関する。
【背景技術】
【０００２】
車両の省燃費を実現するために、車両の車速に対応して予め設定されている目標加速度を、実際の加速度が超えるときには、目標加速度に実際の加速度が近付くようにアクセル開度の調整を行う制御（以下では、このような制御をエコラン制御と称する。）が実施される（たとえば特許文献１参照）。
【先行技術文献】
【特許文献】
【０００３】
【特許文献１】特開２００８−２９７９０３号公報
【発明の概要】
【発明が解決しようとする課題】
【０００４】
上述したようなエコラン制御の実施中は、たとえば運転者が大きな加速度を得るために、アクセルペダルを最大限に深く踏み込んでも実際のアクセル開度は、運転者の要求どおりにはならない。それは、実際のアクセル開度は、エコラン制御の制御装置が設定しているためであり、急峻な加速度の増加は行われず、控え目な加速度の増加になる。このような車両の挙動は、エコラン制御に不慣れな運転者にとっては、要求どおりの車両の挙動が得られないため、ストレスになる。さらにエコラン制御についての知識が乏しい運転者は、要求どおりの車両の挙動が得られない原因がエコラン制御に起因することがわからずに、車両の故障と誤認識する場合も有り得る。
【０００５】
本発明は、このような背景の下に行われたものであって、エコラン制御中の運転者のストレスまたは故障したとの誤認識を解消させることができる車両の制御装置、車両、車両の制御方法、およびプログラムを提供することを目的とする。
【課題を解決するための手段】
【０００６】
本発明のひとつの観点は、車両の制御装置としての観点である。本発明の車両の制御装置は、車両の車速に対応して予め設定されている目標加速度を、実際の加速度が超えるときには、目標加速度に実際の加速度が近付くようにアクセル開度の調整を行う制御手段を有する車両の制御装置において、制御手段が調整した結果として実現されている現在のアクセル開度と車両の現在のアクセルペダルの踏み込み量から推定されるアクセル開度とを双方共に表示する表示手段を有するものである。
【０００７】
本発明の他の観点は、車両としての観点である。本発明の車両は、本発明の車両の制御装置を有するものである。
【０００８】
本発明のさらに他の観点は、車両の制御方法としての観点である。本発明の車両の制御方法は、車両の車速に対応して予め設定されている目標加速度を、実際の加速度が超えるときには、目標加速度に実際の加速度が近付くようにアクセル開度の調整を行う制御ステップを有する車両の制御方法において、制御ステップの処理により調整された結果として実現されている現在のアクセル開度と車両の現在のアクセルペダルの踏み込み量から推定されるアクセル開度とを双方共に表示する表示ステップを有するものである。
【０００９】
本発明のさらに他の観点は、プログラムとしての観点である。本発明のプログラムは、コンピュータに、車両の車速に対応して予め設定されている目標加速度を、実際の加速度が超えるときには、目標加速度に実際の加速度が近付くようにアクセル開度の調整を行う制御手段を有する車両の制御装置の機能を実現させるプログラムにおいて、制御手段が調整した結果として実現されている現在のアクセル開度と車両の現在のアクセルペダルの踏み込み量から推定されるアクセル開度とを双方共に表示する表示手段の機能を実現させるものである。
【発明の効果】
【００１０】
本発明によれば、エコラン制御中の運転者のストレスまたは故障したとの誤認識を解消させることができる。
【図面の簡単な説明】
【００１１】
【図１】本発明の実施の形態の車両の制御装置のブロック構成図である。
【図２】図１の目標加速度記憶部に記憶されている車速と目標加速度との関係の一例を示す図である。
【図３】図１の表示装置に表示される要求アクセル開度と制御アクセル開度の表示例を示す図である。
【図４】図１のアクセル開度計算部の動作を示すフローチャートである。
【図５】図１の制御装置による制御結果を示す図であり、エンジン回転速度、要求アクセル開度、エコラン制御によるアクセル開度減少分、実際のアクセル開度、車速、および制御アクセル開度の適用期間の関係を時間の経過と共に示す図である。
【図６】図１の表示装置に表示される要求アクセル開度と制御アクセル開度の表示例の図２とは異なる別の表示例を示す図である。
【図７】図１の表示装置に表示される要求アクセル開度と制御アクセル開度の表示例の図２、図６とは異なる別の表示例を示す図である。
【発明を実施するための形態】
【００１２】
（概要）
本発明の実施の形態の制御装置１は、車両の車速に対応して予め設定されている目標加速度を、実際の加速度が超えるときには、目標加速度に実際の加速度が近付くようにアクセル開度の調整を行う。制御装置１のこのような制御を、ここでは「エコラン制御」と称することにする。制御装置１では、エコラン制御中には、運転者がアクセルペダルを踏み込むことにより車両に対して要求するアクセル開度（以下では、これを要求アクセル開度と称する。）とエコラン制御によって設定されたアクセル開度（以下では、これを制御アクセル開度と称する。）とを双方共に表示部１５の表示画面上に表示させるようにする。
【００１３】
（構成）
制御装置１は、コンピュータであり、ＣＰＵ（Central Processing Unit）、ＡＳＩＣ（Application Specific Integrated Circuit）、マイクロプロセッサ（マイクロコンピュータ）、ＤＳＰ（Digital Signal Processor）などにより構成され、内部に、演算部、メモリ、およびＩ／Ｏ（Input/Output）ポートなどを有する。制御装置１によって実行されるプログラムは、制御装置１の内部の不揮発性のメモリにあらかじめ記憶しておくことで、コンピュータである制御装置１にあらかじめインストールしておくことができる。制御装置１がプログラムを実行すると、アクセル開度計算部（請求項でいう制御手段の一部で制御方法の制御ステップの一部を実行）１０、加速度比較部（請求項でいう制御手段の一部で制御方法の制御ステップの一部を実行）１１、加速度算出部（請求項でいう制御手段の一部で制御方法の制御ステップの一部を実行）１２、目標加速度記憶部（請求項でいう制御手段の一部で制御方法の制御ステップの一部を実行）１３、および表示制御部（請求項でいう表示手段で制御方法の表示ステップを実行）１４の機能が実現される。
【００１４】
アクセル開度計算部１０は、不図示のアクセルペダルセンサから出力されるアクセルペダルの踏み込み量などのアクセルぺダル操作情報、加速度比較部１１から出力される実際の加速度と目標加速度との差分情報、およびエコラン制御のＯＮ／ＯＦＦ情報にしたがって、アクセル開度制御指示をエンジンＥＣＵ(Electric Control Unit)１６に対して行う。
【００１５】
加速度比較部１１は、加速度算出部１２から出力される実際の加速度情報と、目標加速度記憶部１３のメモリを参照して得た目標加速度情報とを比較し、その差分がどれくらいであるかを示す差分情報をアクセル開度計算部１０に伝達する。
【００１６】
加速度算出部１２は、不図示の車速センサから出力される車両の車速情報を微分するなどによって車両の加速度を算出するものである。加速度算出部１２が算出した加速度情報は、加速度比較部１１に伝達される。
【００１７】
目標加速度記憶部１３には、図２に示すように、車速に対応する目標加速度の情報が予め記憶されている。目標加速度は、図２に示すように、車両の発進に際し、比較的大きな加速度を必要とするので、車速が小さいほど目標加速度は、大きく設定されている。また、目標加速度は、低燃費で走行することを前提として急加速にならないように控え目に設定されている。目標加速度は、車両のメーカ側が車種毎にテスト走行またはシミュレーションなどを行って適切な値を決定したものであり、この値が目標加速度として目標加速度記憶部１３のメモリに記憶されている。このメモリは、コンピュータである制御装置１が有する不揮発性のメモリの一部を利用することができる。これにより、目標加速度記憶部１３は、制御装置１の電源がＯＦＦ状態であっても記憶内容を保持することができる。
【００１８】
表示制御部１４は、不図示のアクセルペダルセンサから出力されるアクセルペダルの踏み込み量などのアクセルぺダル操作情報およびアクセル開度計算部１０から出力される制御アクセル開度情報を入力し、要求アクセル開度表示指示および制御アクセル開度表示指示を表示部１５に対して行う。表示制御部１４は、要求アクセル開度表示指示については、アクセルペダルの踏み込み量の情報に基づいて、運転者が要求しているアクセル開度を推定し、その推定結果を要求アクセル開度として要求アクセル開度表示指示を生成する。
【００１９】
表示部１５は、たとえば液晶表示パネル、有機ＥＬ(Electro Luminescence)表示パネルなどにより構成された表示画面を有する。これにより、表示部１５は、表示制御部１４からの要求アクセル開度表示指示および制御アクセル開度表示指示に基づいて、図３に示すように、表示部１５の表示画面に、要求アクセル開度の表示１７と制御アクセル開度の表示１８とを双方共に表示することができる。
【００２０】
なお、アクセルペダルの踏み込み量の情報に基づいて、運転者が要求しているアクセル開度を推定する方法としては、たとえばアクセルペダルの踏み込み量に対応するアクセル開度が記録されたテーブルを、表示制御部１４内のメモリに予め記憶しておく。これにより、表示制御部１４は、このテーブルを参照してアクセルペダルの踏み込み量の情報に基づいて、運転者が要求しているアクセル開度を推定することができる。
【００２１】
また、図１に制御装置１と共に図示されているエンジンＥＣＵ１６は、コンピュータであり、不図示のエンジンの燃料噴射量やバルブタイミングなどを制御する。たとえば、エンジンＥＣＵ１６は、ＣＰＵ、ＡＳＩＣ、マイクロプロセッサ（マイクロコンピュータ）、ＤＳＰなどにより構成され、内部に、演算部、メモリ、およびＩ／Ｏポートなどを有する。エンジンＥＣＵ１６は、アクセル開度計算部１０のアクセル開度制御指示に基づいて不図示のエンジンのアクセル開度をアクセル開度制御指示どおりに制御する。
【００２２】
（動作）
次に、制御装置１の動作について、図１〜図５を参照して説明する。
【００２３】
制御装置１の主要な構成要素であるアクセル開度計算部１０の基本的な制御は、アクセルペダル操作情報から運転者が要求するアクセル開度を検出し、そのアクセル開度をエンジンＥＣＵ１６に対して指示することである。この際に、アクセル開度計算部１０は、エコラン制御がＯＮ状態（すなわち不図示のエコラン制御スイッチがＯＮ状態）であれば、加速度比較部１１から出力される実際の加速度情報と目標加速度記憶部１３を参照して得た目標加速度情報とのプラス側の差分（すなわち目標加速度を実際の加速度が超えている分）が無くなるように制御を行う。
【００２４】
また、アクセル開度計算部１０は、エコラン制御がＯＦＦ状態（すなわち不図示のアクセル制御スイッチがＯＦＦ状態）であるときには、アクセルペダル操作情報から検出した運転者が要求するアクセル開度を、そのままアクセル開度制御指示としてエンジンＥＣＵ１６に対して出力する。
【００２５】
ここで、アクセル開度計算部１０の動作を図４のフローチャートを参照しながら説明する。車両のキースイッチがＯＮ状態であるときに、コンピュータである制御装置１にアクセル開度計算部１０およびその他の各部の機能が実現される。さらに、制御装置１のエコラン制御もＯＮ状態であるときにＳＴＡＲＴの条件が整う。なお、図４のフローチャートにおけるＳＴＡＲＴからＥＮＤまでの処理は、１周期分の処理であり、上述のＳＴＡＲＴの条件が整っていれば、処理は繰り返し実行される。
【００２６】
ステップＳ１：アクセル開度計算部１０は、アクセルペダルの操作情報を取得してステップＳ２の手続きに進む。
【００２７】
ステップＳ２：アクセル開度計算部１０は、取得したアクセルペダルの操作情報に基づいてアクセルの要求開度を計算してステップＳ３の手続きに進む。アクセルペダルの操作情報に基づいてアクセルの要求開度を計算する方法としては、アクセルペダルの踏み込み量に対応するアクセルの要求開度が記録されたテーブルなどを用いる方法がある。
【００２８】
ステップＳ３：アクセル開度計算部１０は、加速度比較部１１から伝達される実際の加速度と目標加速度との差分情報を取得してステップＳ４の手続きに進む。
【００２９】
ステップＳ４：アクセル開度計算部１０は、加速度比較部１１から伝達された差分情報がプラスか否かを判定する。ステップＳ４において、差分情報がプラスであると判定されると、手続きは、ステップＳ５に進む。一方、ステップＳ４において、差分情報がゼロ以下であると判定されると、手続きは、ステップＳ７に進む。
【００３０】
ステップＳ５：アクセル開度計算部１０は、エンジンＥＣＵ１６へのアクセル制御指示における指示開度を、要求開度未満として、ステップＳ６の手続きに進む。
【００３１】
ステップＳ６：アクセル開度計算部１０は、加速度比較部１１から伝達された差分情報がゼロ以下か否かを判定する。ステップＳ６において、差分情報がゼロ以下であると判定されると、１周期分の処理を終了する（ＥＮＤ）。一方、ステップＳ６において、差分情報がゼロ以下でない（すなわちプラス）と判定されると、手続きは、ステップＳ８に進む。
【００３２】
ステップＳ７：アクセル開度計算部１０は、エンジンＥＣＵ１６へのアクセル制御指示における指示開度を、要求開度のままとして、１周期分の処理を終了する（ＥＮＤ）。
【００３３】
ステップＳ８：アクセル開度計算部１０は、エンジンＥＣＵ１６へのアクセル制御指示における指示開度を、さらに低減させて、ステップＳ６の手続きに戻る。
【００３４】
次に、制御装置１による制御結果として、図５に、エンジン回転速度を破線２０、要求アクセル開度を破線２１、エコラン制御によるアクセル開度減少分を矢示２２、実際のアクセル開度を実線２３、車速を一点鎖線２４でそれぞれ示し、エンジン回転速度、要求アクセル開度、エコラン制御によるアクセル開度減少分、実際のアクセル開度、車速、および制御アクセル開度の適用期間Ｔの関係を時間の経過と共に示す。
【００３５】
図５の例では、時刻ｔ１でアクセルペダルの操作が開始され、実際のアクセル開度（実線２３）は、０°から立ち上がり始めている。図５の例では、運転者がアクセルペダルを最大限に深く踏み込んだ場合を例示しており、実際のアクセル開度（実線２３）は、時刻ｔ２でほぼ全開の位置に達する。
【００３６】
時刻ｔ２で、実際のアクセル開度（実線２３）がほぼ全開の位置に達すると、エンジンへの燃料噴射量が最大になり、車両の加速度（不図示）が増加する。このため、エンジン回転速度（破線２０）および車速（一点鎖線２４）が共に上昇を始める。アクセル開度計算部１０は、加速度の増加に対し、エコラン制御を実施する。これにより要求アクセル開度（破線２１）と実際のアクセル開度（実線２３）との間には、エコラン制御によるアクセル開度減少分（矢示２２）が生じる。
【００３７】
時刻ｔ２から開始されたエコラン制御によって、アクセル開度が絞られるため、車両の加速度は減少する。その結果、エンジン回転速度（破線２０）および車速（一点鎖線２４）は、時刻ｔ３に向かって緩やかに上昇する。
【００３８】
時刻ｔ３から時刻ｔ４に向かっては、エンジン回転速度（破線２０）および車速（一点鎖線２４）は、共に減少傾向になる。これは、たとえば車両が登り勾配にさしかかった場合などに見られる挙動である。
【００３９】
時刻ｔ４を過ぎると、車両の加速度は、目標加速度にほぼ等しい程度まで低下するので、実際のアクセル開度（実線２３）と要求アクセル開度（破線２１）との差分は小さくなる。その結果、エンジンの燃料噴射量が増加するので、エンジン回転速度（破線２０）および車速（一点鎖線２４）は上昇する。
【００４０】
時刻ｔ５では、車両の加速度は、目標加速度未満まで低下するので、実際のアクセル開度（実線２３）と要求アクセル開度（破線２１）との差分は無くなる。その結果、アクセル開度計算部１０は、エコラン制御を終了する。これにより、アクセル開度は、要求アクセル開度そのものとなり、エンジンの燃料噴射量が増加するので、エンジン回転速度（破線２０）および車速（一点鎖線２４）はさらに上昇する。
【００４１】
時刻ｔ６では、アクセルペダルが解放されるので、実際のアクセル開度（実線２３）は、急に低下する。これに伴って、エンジン回転速度（破線２０）および車速（一点鎖線２４）も少し遅れて低下する。
【００４２】
図５に示すように、実際のアクセル開度（実線２３）のうち、制御アクセル開度の適用期間Ｔについては、要求アクセル開度（破線２１）と実際のアクセル開度（実線２３）との間に差分がある。このとき、図３に示すように、表示部１５の表示画面上に表示される要求アクセル開度の表示１７と制御アクセル開度の表示１８とは、それぞれ異なるアクセル開度を表示する。なお、要求アクセル開度の表示１７と制御アクセル開度の表示１８とは、互いに異なる色で表示してもよい。
【００４３】
（効果）
制御装置１は、表示部１５に、制御アクセル開度と要求アクセル開度とを双方共に表示するので、運転者は、アクセルペダルの踏み込み操作に対する実際のアクセル開度を認識することができる。これにより、エコラン制御中の運転者のストレスまたは故障の誤認識を解消させることができる。
【００４４】
また、運転者は、要求アクセル開度に対する制御アクセル開度を知り、要求アクセル開度が制御アクセル開度に近付くように、自己のアクセルペダルの操作量を調整することで、省燃費に有効な車両の加速度を学習することができる。これによれば、この運転者が制御装置１を有さない他の車両に搭乗する際にも学習した省燃費に有効な車両の加速度が得られるようなアクセルペダルの操作を実施することが可能になる。
【００４５】
その他には、アクセル開度計算部１０のエコラン制御によれば、たとえば運転者が波状なアクセルペダルの操作や過大なアクセルペダルの踏み込み操作を行った場合でも波状の加速度の変化や過大な急加速を抑え、燃費を低く抑えることができる。
【００４６】
また、制御装置１による上述した制御は、車速から算出される加速度に基づき行われる。したがって、車両には、車速センサ以外の各種センサを設置する必要はなく、データ算出処理、および車両の諸元データの記憶も不要である。このように、センサ類、データ算出処理、および諸元データの記憶を省くことができるために、制御装置１のコストを低減させることができると共に、信頼性を向上させることができる。また、このことは、車両のコストを低減させることができると共に、信頼性を向上させることにもなる。
【００４７】
（その他の実施の形態）
表示部１５Ａの表示画面における別の表示例を図６に示す。表示部１５Ａの表示画面は、制御アクセル開度の表示１８Ａとして、要求アクセル開度の表示１７との差分を表示する差分表示領域３０を有する。制御アクセル開度の表示１８Ａでは、差分表示領域３０の色を制御アクセル開度表示領域の色とは異なる色とすることが好ましい。これによれば、運転者は、差分表示領域３０の面積の大きさにより、制御アクセル開度と要求アクセル開度との差分の大きさを知ることができる。これにより、たとえば運転者は、要求アクセル開度の表示１７を見なくても制御アクセル開度の表示１８Ａのみを見ることによって、要求アクセル開度と制御アクセル開度との差分の大きさを知ることができる。
【００４８】
さらに、表示部１５Ｂの表示画面における別の表示例を図７に示す。表示部１５Ｂの表示画面には、制御アクセル開度および要求アクセル開度の表示１９として、制御アクセル開度と要求アクセル開度とを重ねて表示している。しかしながら、制御アクセル開度が要求アクセル開度よりも大きくなることはないので、要求アクセル開度のうち、制御アクセル開度よりも大きい分が差分表示領域３１として出現する。これによれば、表示部１５Ｂの表示領域を、表示部１５、１５Ａなどと比べておよそ半分にすることができるので、表示部１５Ｂを小型化、低コスト化することができる。また、運転者は、ひとつの表示１９のみを見ることによって、要求アクセル開度と制御アクセル開度との差分の大きさを知ることができる。なお、制御アクセル開度の表示に対して差分表示領域３１の表示の色を変えることもできる。これにより、差分表示領域３１の表示を目立たせることができる。
【００４９】
また、図１に示したブロック構成では、説明を判り易くするために、加速度比較部１１の外部に目標加速度記憶部１３を設けたが、目標加速度記憶部１３に記憶されている目標加速度情報を加速度比較部１１が記憶するようにすれば、目標加速度記憶部１３は省略してもよい。これにより、制御装置１のブロック構成を簡略化することができる。
【００５０】
また、アクセル開度計算部１０は、エコラン制御がＯＮ状態であっても、たとえば方向指示器の操作、オートクルーズの操作、またはＡＢＳの制御などの情報にしたがって、これらの操作または制御が行われているときには、アクセルペダル操作情報から検出した運転者が要求するアクセル開度を、そのままアクセル開度制御指示としてエンジンＥＣＵ１６に対して出力するようにしてもよい。
【００５１】
たとえば、方向指示器が操作されている状況は、追い越しのための車線変更など、運転者が大きな加速度を車両に要求している状況である。このような状況下では、目標加速度を無視して運転者の要求どおりの加速度で車両を加速させることができる。また、オートクルーズが働いている期間は、加速も減速も行われないため、目標加速度を無視してオートクルーズの要求どおりに車両を走行させることができる。また、ＡＢＳなどが車輪のスリップを検出したときには、スリップ脱出のために、エンジン回転速度を上げる必要が生じるので、目標加速度を無視して運転者の要求どおりのアクセル開度とすることができる。これにより、ドライバビリティを良好にすることができる。
【００５２】
また、図４のフローチャートでは、アクセル開度計算部１０は、ステップＳ４で「差分はプラスか？」とし、ステップＳ６で「差分はゼロ以下か？」とし、加速度比較部１１から伝達された実際の加速度と目標加速度との差分がゼロであるポイントを境界点にして制御の切り替えを実施した。これに対し、境界点をまたいで差分が上下するような場合、制御の切り替えが頻繁に発生することを防ぐために、たとえばステップＳ４で「差分は＋０．５か？」とし、ステップＳ６で「差分は−０．５か？」などとして、境界点に応差（ヒステリシス）を設けてもよい。これにより、制御の切り替えが頻繁に発生するモードハンチングを防ぐことができる。
【００５３】
また、制御装置１によるエコラン制御において、エンジン回転速度の立ち上がりからエコラン制御が開始されるまでに、一定の期間を設けてもよい。これによれば、エンジン回転速度の立ち上がりでは、エコラン制御が未だ開始されておらず、エンジン回転速度立ち上がりのドライバビリティを運転者の要求どおりとすることができる。これにより、運転者が加速感のドライバビリティに違和感を覚える状況を緩和させることができる。あるいは、方向指示器の動作中には、追い越しなどのための車線変更と判断し、運転者の要求どおりの加速度を実現させるため、エコラン制御を解除するようにしてもよい。
【００５４】
また、要求アクセル開度が制御アクセル開度に近付くにしたがって、要求アクセル開度の表示１７の表示色と制御アクセル開度の表示１８の表示色とが異なる色から次第に同色に変化するようにしてもよい。たとえば、制御アクセル開度の表示１８を緑色の表示色とし、要求アクセル開度と制御アクセル開度との差分が比較的大きいときには、要求アクセル開度の表示１７の表示色を赤色とし、要求アクセル開度と制御アクセル開度との差分が小さくなるにしたがって、要求アクセル開度の表示１７の表示色が赤色から次第に橙色、黄色などを経て緑色に変化するようにする。これによれば、運転者が、要求アクセル開度が制御アクセル開度に近付くように、自己のアクセルペダルの操作量を調整することで、省燃費に有効な車両の加速度を学習する際に、表示１７、１８の指示値を注視しなくても、色の変化によって、要求アクセル開度が制御アクセル開度に近付いたことを知ることができる。これにより、運転者が省燃費に有効な車両の加速度を学習する際の利便性および効率を高めることができる。
【００５５】
また、制御装置１によって実行されるプログラムは、制御装置１にあらかじめインストールされると説明したが、プログラムが記録されている（プログラムを記憶している）リムーバブルメディアを図示せぬドライブなどに装着し、リムーバブルメディアから読み出したプログラムを制御装置１の内部の不揮発性のメモリに記憶することにより、または、有線または無線の伝送媒体を介して送信されてきたプログラムを、図示せぬ通信部で受信し、制御装置１の内部の不揮発性のメモリに記憶することで、コンピュータである制御装置１にインストールすることができる。これによれば、プログラムの更新作業など、プログラムの一部または全部を変更する工程を簡単に行うことができる。
【００５６】
なお、コンピュータが実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【００５７】
また、本発明の実施の形態は、上述した実施の形態に限定されるものではなく、本発明の要旨を逸脱しない範囲において種々の変更が可能である。たとえば、表示部１５は、上述した表示の他に、ナビゲーション用地図などを表示するものなど、他の表示にも使用できるものとしてもよい。また、制御装置１は、四輪自動車、二輪自動車、など各種の自動車に搭載させることができるが、自動車以外の車両、たとえば、電車にも搭載できる。さらには、車両以外には、船舶、飛行機などにも適用できる。
【符号の説明】
【００５８】
１…制御装置、１０…アクセル開度計算部（制御手段の一部）、１１…加速度比較部（制御手段の一部）、１２…加速度算出部（制御手段の一部）、１３…目標加速度記憶部（制御手段の一部）、１４…表示制御部（表示手段）、１５…表示部（表示手段の一部）
【図１】
2013019275.tif 000003
【図２】
2013019275.tif 000004
【図３】
2013019275.tif 000005
【図４】
2013019275.tif 000006
【図５】
2013019275.tif 000007
【図６】
2013019275.tif 000008
【図７】
2013019275.tif 000009